(57)【要約】【課題】ユーザが閲覧しようとする情報群の全体像を容易に把握できるように情報を提示する。【解決手段】情報群検索部５により検索ワードを含む情報をデータベース１から検索するとともに、この情報に対応する特徴語とクラスを特徴語インデックスから抽出し、閲覧属性分類部６により各特徴語が属するクラスに基づいて各情報を閲覧属性に分類し、情報概要構造作成部７により各面に閲覧属性を示す多面性表現によるメニューを作成し、情報概要表示部８によりこのメニューを表示する。【選択図】図１
2006139487.tif 000002
【特許請求の範囲】
【請求項１】
検索対象となる情報を予め収集しデータベースに記憶しておく情報群収集手段と、
各情報について特徴語およびその特徴語が属するクラスを抽出し、情報、特徴語、クラスを対応付けて特徴語インデックスとしてデータベースに記憶しておくクラス付き特徴表現抽出手段と、
検索ワードの入力を受け付ける検索ワード入力手段と、
前記検索ワードを含む情報を前記データベースから検索するとともに、この情報に対応する特徴語と当該特徴語が属するクラスを特徴語インデックスから抽出する情報群検索手段と、
抽出した各特徴語が属するクラスに基づいて各情報を閲覧属性に分類する閲覧属性分類手段と、
分類された閲覧属性の数の面を含み、各面に閲覧属性を示す多面性表現によるメニューを作成する情報概要構造作成手段と、
前記メニューを表示させる情報概要表示手段と、
を有することを特徴とする情報概要提示装置。
【請求項２】
前記クラス付き特徴表現抽出手段は、クラスとして、人物名、職業名、病気名、色名、組織名、地名、施設名、製品名、イベント名、自然物名、称号名、単位名のうちの少なくとも１つを含む固有表現と、時間、期間のうちの少なくとも１つを含む時間表現と、金額、指数、ポイント、割合、倍数、頻度、順位、年齢、緯度経度、寸法、個数、序数のうちの少なくとも１つを含む数値表現のうちの少なくとも１つを抽出することを特徴とする請求項１記載の情報概要提示装置。
【請求項３】
各クラスと各クラスが各閲覧属性に属する確率とを対応させた対応表情報をデータベースに記憶しておき、
閲覧属性分類手段は、この対応表に基づいて各クラスを最も確率の高い閲覧属性に分類することを特徴とする請求項１又は２記載の情報概要提示装置。
【請求項４】
前記情報概要構造作成手段は、閲覧属性を示す各面を表示の中心から等距離に配置したメニューを作成することを特徴とする請求項１乃至３のいずれかに記載の情報概要提示装置。
【請求項５】
前記閲覧属性は、情報の属する分野、話題の言葉、メディア媒体、作者、日時、評価のうちの少なくとも１つを含むことを特徴とする請求項１乃至４のいずれかに記載の情報概要提示装置。
【発明の詳細な説明】
【技術分野】
【０００１】
本発明は、大量の情報群の中からユーザが検索した情報の概要を提示できるようにした情報概要提示装置に関する。
【背景技術】
【０００２】
大量で様々な属性（分野、話題、媒体、作者、日時、閲覧目的等）が混在する情報群の中から、ある程度絞り込んだ情報を提示する技術の開発が進められている（例えば特許文献１、２参照）。
【０００３】
例えば、インターネットでキーワード検索による絞り込みを行う場合には、キーワードの具体性にもよるが、キーワードが一般的な概念である程、検索結果に多様な属性を含む文書が混在して提示される。
【０００４】
このような情報提示装置としては、一覧型情報提示装置、関連表示型情報提示装置、分類型情報提示装置、歪を利用した情報提示装置がある。
【０００５】
一覧型情報提示装置は、ユーザに検索結果として情報群あるいは大量の情報を要約した一覧の一部を提示するものである。
【０００６】
関連表示型情報提示装置は、情報の要約語、タイトル等を特徴的空間内にその情報の文書類似度を基準とした距離に応じて配置し提示する装置である。関連性は、意味的関連や、ハイパーリンク、ネットワーク機器構成などの構造的関連などがある。提示においては、構造的関連性を線で結合することにより表現するものもある。
【０００７】
分類型情報提示装置は、手動、半自動、または自動で情報を単一の観点、または複合した観点で分類することにより情報観点の絞り込みと拡張を行うものである。この分類結果は階層ツリー構造で提示される。
【０００８】
歪を利用した情報提示装置は、多くの情報や分類情報をある空間に配置して提示する場合に、注視点とその関連性の高いものだけを拡大させ、関連性の低いものは縮小して表示するものである。この空間としては、例えば矩形、円形、球体等であり、その空間の中に注視すべき情報は大きく、関連性の低いものは小さくなるように、関連度に応じた大きさで表示するようにし、限られたスペースの中に情報全体を提示するものである。
【特許文献１】特開平９−１６６２７号公報
【特許文献２】特開２０００−２９３５３７号公報
【発明の開示】
【発明が解決しようとする課題】
【０００９】
しかしながら、一覧型情報提示装置は、ユーザが提示された情報を選択する際に、多数の混在する情報群や要約を見る必要があり、その手間が非常に多い点と、情報群の全体の把握ができない点に問題がある。また、それに起因してユーザが情報を探すことを止めてしまい、探している情報にたどり着けないことがある。
【００１０】
関連表示型情報提示装置、分類型情報提示装置、歪を利用した情報提示装置は、検索結果の提示において語や文書タイトルが非常に多くなった場合には、それぞれが圧縮して提示されるため、情報群の全体像の把握は困難である。
【００１１】
このように、従来の情報提示装置は、対象となる情報群に含まれる語や文書タイトル等が少ない場合には問題はないが、これらが多くなるとその数や属性間のバランスを把握することが困難であった。また、検索結果を分類して提示する場合、分類クラスが多数出てきた場合には、限られたスペースに語、文書タイトル等を提示することが困難となり、情報群の全の概要を把握できない問題があった。
【００１２】
また、従来の情報提示装置は、大量の情報概要を提示する場合に、羅列として提示するか、階層的に提示していた。このため、羅列の後方に位置する情報や、階層の下層に位置する情報は、選択する際に手間が多く、その結果、あまり利用されないという問題があった。
【００１３】
本発明は、上記に鑑みてなされたものであり、その課題とするところは、ユーザが閲覧しようとする情報群の全体像を容易に把握し得る情報の提示を可能にすることにある。
【課題を解決するための手段】
【００１４】
上記課題を解決するため、本発明に係る情報概要提示装置は、検索対象となる情報を予め収集しデータベースに記憶しておく情報群収集手段と、各情報について特徴語およびその特徴語が属するクラスを抽出し、情報、特徴語、クラスを対応付けて特徴語インデックスとしてデータベースに記憶しておくクラス付き特徴表現抽出手段と、検索ワードの入力を受け付ける検索ワード入力手段と、前記検索ワードを含む情報を前記データベースから検索するとともに、この情報に対応する特徴語と当該特徴語が属するクラスを特徴語インデックスから抽出する情報群検索手段と、抽出した各特徴語が属するクラスに基づいて各情報を閲覧属性に分類する閲覧属性分類手段と、分類された閲覧属性の数の面を含み、各面に閲覧属性を示す多面性表現によるメニューを作成する情報概要構造作成手段と、前記メニューを表示させる情報概要表示手段と、を有することを特徴とする。
【００１５】
本発明にあっては、検索ワードを含む情報を検索するとともに、この情報に対応する特徴語とクラスを抽出し、各特徴語が属するクラスに基づいて各情報を閲覧属性に分類し、各面に閲覧属性を示す多面性表現によるメニューを作成して表示することで、このメニューを見たユーザが、閲覧しようとする情報の概要を閲覧属性の種類および数として把握できるようにする。
【発明の効果】
【００１６】
本発明によれば、ユーザは、閲覧しようとする情報群の全体像を容易に把握することができる。
【発明を実施するための最良の形態】
【００１７】
以下、一実施の形態について説明する。
【００１８】
図１は、本実施の形態における情報概要提示装置の構成を示す機能ブロック図である。同図のシステムは、データベース１、情報群収集部２、クラス付き特徴表現抽出部３、検索ワード入力部４、情報群検索部５、閲覧属性分類部６、情報概要構造作成部７、情報概要表示部８を備える。本情報概要提示装置は、コンピュータによって構成され、各部の処理はプログラムによって実行される。
【００１９】
データベース１には、情報群収集部２により収集された情報群が記憶されると共に、この情報群に含まれる各情報について特徴語とクラスを対応付けた特徴語インデックスが記憶される。
【００２０】
情報群収集部２は、例えばインタネット上における各種サーバが提供する情報を予め収集しておき、データベース１に記憶させる。
【００２１】
クラス付き特徴表現抽出部３は、この各情報について特徴語を抽出するとともに、その特徴語が属するクラスを抽出し、情報、特徴語、クラスを対応付けて特徴語インデックスとしてデータベース１に記憶させる。特徴語としては、例えば固有名詞を対象とする。
【００２２】
特徴語の属するクラスは、人物名、職業名、病気名、色名、組織名、地名、施設名、製品名、イベント名、自然物名、称号名、単位名のうちの少なくとも１つを含む固有表現や、時間、期間のうちの少なくとも１つを含む時間表現、金額、指数、ポイント、割合、倍数、頻度、順位、年齢、緯度経度、寸法、個数、序数のうちの少なくとも１つを含む数値表現とし、クラス付き特徴表現抽出部３は、これら固有表現、時間表現、数値表現のうちの少なくとも１つを抽出する。
【００２３】
検索ワード入力部４を用いてユーザ１０が知りたい情報に関する検索キーワードを入力すると、検索ワード入力部４は、この検索キーワードを受け付け、情報群検索部５に渡す。検索ワード入力部４は、本装置に接続されたキーボード等から入力された検索キーワードを受け付けるものであってもよいし、本装置にネットワークを介して接続された端末から入力された検索キーワードを受け付けるものであってもよい。
【００２４】
情報群検索部５は、データベース１に記憶されている情報群のうち、検索キーワードを含む情報を検索し、これを提示しようとする情報群とする。また、情報群検索部５は、検索キーワードを含む情報だけではなく、これに含まれる特徴語とこの特徴語が属するクラスを特徴語インデックスから抽出し、これらを全て閲覧属性分類部６へ渡す。
【００２５】
閲覧属性分類部６は、抽出した各特徴語が属するクラスに基づいて各情報を閲覧属性に分類する。この分類に際しては、例えば、各クラスが各閲覧属性に属する度合いを確率モデルにより予め求めておき、各クラスと各クラスが各閲覧属性に属する確率とを対応させた対応表情報をデータベース１に記憶しておき、各情報のクラス付き特徴表現ベクトルを要素とし、閲覧属性分類部６は、この対応表に基づいて各クラスを最も確率の高い閲覧属性に分類する。
【００２６】
閲覧属性としては、その情報が属する分野（政治、経済、科学、社会、地域、スポーツ、芸能等）、話題の言葉、概要（スペック、要約等）、メディア媒体（ＥＣ，Ｗｅｂニュース、テレビ番組表、製品説明ページ、ＢＬＯＧページ等）、作者、日時、評価（お勧めのコメント、ランク等）、閲覧目的のうちの少なくとも１つを含み、サービス提供者が予め設定しておき、閲覧属性情報としてデータベース１に記憶させておく。
【００２７】
情報概要構造作成部７は、分類された閲覧属性の数の面を含み、各面に閲覧属性を示す多面性表現によるメニューを作成する。このメニューは、例えば図２に示すようなものとする。図２（ａ）では、閲覧属性として「事件、地域、裁判、人名」が示され、図２（ｂ）では「主演俳優、映画館、ＤＶＤ、ストーリ」が示された例を示す。いずれも閲覧属性の数は４であり、閲覧属性は２次元配置されている。
【００２８】
情報概要表示部８は、このメニューを画面に表示させる。情報概要表示部８は、メニューを本情報概要提示装置の画面に表示させるようにしてもよいし、ネットワークを介して接続されたユーザ端末の画面に表示させるようにしてもよい。ここで、ユーザがメニュー上の閲覧属性をクリックすると、その閲覧属性に関連する情報の検索結果が表示されるように、情報概要構造作成部７はメニューを作成しておく。
【００２９】
図３は、提示するメニューについて閲覧属性を２次元配置した場合の別の例を示す図である。閲覧属性の数（次元）が多いほど閲覧属性を示す面の数は多くなり、次元が少ないほど閲覧属性を示す面の数は少なくなる。ただし、いずれのメニューも表示の中心から等距離に閲覧属性を示す面が配置された状態を示している。
【００３０】
図４は、提示するメニューについて閲覧属性を３次元配置した場合の例を示す図である。ここでも、表示の中心から等距離に閲覧属性を示す面が配置された状態を示している。
【００３１】
したがって、本実施の形態によれば、情報群検索部５により検索キーワードを含む情報をデータベース１から検索するとともに、この情報に対応する特徴語とクラスを特徴語インデックスから抽出し、閲覧属性分類部６により各特徴語が属するクラスに基づいて各情報を閲覧属性に分類し、情報概要構造作成部７により各面に閲覧属性を示す多面性表現によるメニューを作成し、情報概要表示部８によりこのメニューを表示することで、このメニューを見たユーザは、閲覧しようとする情報群の概要を閲覧属性の種類および数として把握することが可能になるので、情報群の全体像を容易に把握することができる。
【００３２】
また、本実施の形態によれば、メニュー表示により、提示しようとする情報群に総覧効果を持たせた上で、メニュー上の閲覧属性がクリックされた場合には、その閲覧属性に関連する情報の検索結果を表示させることで、その後の部分情報の閲覧の手間が一定になり、利用されにくい情報がなく、全ての情報について同様に閲覧することができる。
【図面の簡単な説明】
【００３３】
【図１】一実施の形態における情報概要提示装置の構成を示す機能ブロック図である。
【図２】同図（ａ）は、閲覧属性として「事件、地域、裁判、人名」を示すメニューの例であり、同図（ｂ）は閲覧属性として「主演俳優、映画館、ＤＶＤ、ストーリ」を示すメニューの例を示す図である。
【図３】メニューについて閲覧属性を２次元配置した場合の例を示す図である。
【図４】メニューについて閲覧属性を３次元配置した場合の例を示す図である。
【符号の説明】
【００３４】
１…データベース，２…情報群収集部
３…特徴表現抽出部，４…検索ワード入力部
５…情報群検索部，６…閲覧属性分類部
７…情報概要構造作成部，８…情報概要表示部
１０…ユーザ
【図１】
2006139487.tif 000003
【図２】
2006139487.tif 000004
【図３】
2006139487.tif 000005
【図４】
2006139487.tif 000006